【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
レーザー光束を発する光源部と、
光源部から発するレーザー光束を主として副走査方向に収束させるアナモフィック素子と、
前記光源部から発して前記アナモフィック素子により収束されたレーザー光束を偏向、走査させる偏向器と、
該偏向器により偏向されたレーザー光束を走査対象面上で主走査方向に走査するスポットとして収束させる結像光学系とを備え、
Ｓ1、Ｓ2を以下の式により定義したときに、以下の条件(A) を満たすことを特徴とする走査装置。
【数１】
2007187739.tif 000001
ただし、
y1_max：最大像高に向かう光束の上光線が前記結像光学系の最も主走査方向のパワーが強いレンズの第１面へ入射する位置の光軸からの高さ、
y’1_max：最大像高に向かう光束の下光線が前記第１面へ入射する位置の光軸からの高さ、
y1_0：走査中心に向かう光束の上光線が前記第１面へ入射する位置の光軸からの高さ、
y’1_0：走査中心に向かう光束の下光線が前記第１面へ入射する位置の光軸からの高さ、
y2_max：最大像高に向かう光束の上光線が前記結像光学系の最も主走査方向のパワーが強いレンズの第２面へ入射する位置の光軸からの高さ、
y’2_max：最大像高に向かう光束の下光線が前記第２面へ入射する位置の光軸からの高さ、
y2_0：走査中心に向かう光束の上光線が前記第２面へ入射する位置の光軸からの高さ、
y’2_0：走査中心に向かう光束の下光線が前記第２面へ入射する位置の光軸からの高さ、
θ：前記結像光学系の第１レンズに対し最大像高に向けて入射する光束が光軸となす角度、
Ｌ：前記結像光学系の最も主走査方向のパワーが強いレンズより光源部側の光学系により形成される主走査方向の結像位置から前記第１面までの距離、
Ｌ1：前記第２面から走査対象面までの距離である。
【請求項２】
レーザー光束を発する光源部と、
光源部から発するレーザー光束を主として副走査方向に収束させるアナモフィック素子と、
前記光源部から発して前記アナモフィック素子により収束されたレーザー光束を偏向、走査させる偏向器と、
該偏向器により偏向されたレーザー光束を走査対象面上で主走査方向に走査するスポットとして収束させる結像光学系とを備え、
Ｓ1を以下の式により定義したときに、以下の条件(B) を満たすことを特徴とする走査装置。
【数２】
2007187739.tif 000002
ただし、
y1_max：最大像高に向かう光束の上光線が前記結像光学系の最も主走査方向のパワーが強いレンズの第１面へ入射する位置の光軸からの高さ、
y’1_max：最大像高に向かう光束の下光線が前記第１面へ入射する位置の光軸からの高さ、
y1_0：走査中心に向かう光束の上光線が前記第１面へ入射する位置の光軸からの高さ、
y’1_0：走査中心に向かう光束の下光線が前記第１面へ入射する位置の光軸からの高さ、
θ：前記結像光学系の第１レンズに対し最大像高に向けて入射する光束が光軸となす角度、
Ｌ：前記結像光学系の最も主走査方向のパワーが強いレンズより光源部側の光学系により形成される主走査方向の結像位置から前記第１面までの距離、
Ｌ1：前記第２面から走査対象面までの距離である。
【請求項３】
以下の条件(C)を更に満たすことを特徴とする請求項２に記載の走査装置。
【数３】
2007187739.tif 000003
【請求項４】
前記アナモフィック素子の主走査方向の焦点距離ｆAが有限の正の値を有し、該アナモフィック素子から前記第１面までの光軸上の距離をＬ0として、Ｌ＝−(Ｌ0−ｆA)であることを特徴とする請求項１または２に記載の走査装置。
【請求項５】
前記結像光学系の最も主走査方向のパワーが強いレンズは、以下の条件(D)を満たす正レンズであることを特徴とする請求項１〜４のいずれかに記載の走査装置。
１／ｒ1＞１／ｒ2  …(D)
ただし、
ｒ1：第１面の近軸曲率半径、
ｒ2：第２面の近軸曲率半径である。
【請求項６】
前記結像光学系の最も主走査方向のパワーが強いレンズは、以下の条件(E)を満たすことを特徴とする請求項５に記載の走査装置。
１／ｒ1≦０  …(E)
【請求項７】
前記最大像高に向かう光束が光軸となす角度θが４５°以上であることを特徴とする請求項１〜６のいずれかに記載の走査装置。
【手続補正２】
【補正対象書類名】明細書
【補正対象項目名】００１０
【補正方法】変更
【補正の内容】
【００１０】
ただし、
y1_max：最大像高に向かう光束の上光線が前記結像光学系の最も主走査方向のパワーが強いレンズの第１面へ入射する位置の光軸からの高さ、
y’1_max：最大像高に向かう光束の下光線が前記第１面へ入射する位置の光軸からの高さ、
y1_0：走査中心に向かう光束の上光線が前記第１面へ入射する位置の光軸からの高さ、
y’1_0：走査中心に向かう光束の下光線が前記第１面へ入射する位置の光軸からの高さ、
y2_max：最大像高に向かう光束の上光線が前記結像光学系の最も主走査方向のパワーが強いレンズの第２面へ入射する位置の光軸からの高さ、
y’2_max：最大像高に向かう光束の下光線が前記第２面へ入射する位置の光軸からの高さ、
y2_0：走査中心に向かう光束の上光線が前記第２面へ入射する位置の光軸からの高さ、
y’2_0：走査中心に向かう光束の下光線が前記第２面へ入射する位置の光軸からの高さ、
θ：前記結像光学系の第１レンズに対し最大像高に向けて入射する光束が光軸となす角度、
Ｌ：前記結像光学系の最も主走査方向のパワーが強いレンズより光源部側の光学系により形成される主走査方向の結像位置から前記第１面までの距離、
Ｌ1：前記第２面から走査対象面までの距離である。
【手続補正３】
【補正対象書類名】明細書
【補正対象項目名】００１３
【補正方法】変更
【補正の内容】
【００１３】
また、請求項４に示すように、アナモフィック素子の主走査方向の焦点距離ｆAが有限の正の値を有することが望ましい。この場合、アナモフィック素子から第１面までの光軸上の距離をＬ0として、Ｌ＝−(Ｌ0−ｆA)で表される。
【手続補正４】
【補正対象書類名】明細書
【補正対象項目名】００２８
【補正方法】変更
【補正の内容】
【００２８】
ただし、
y1_max：最大像高に向かう光束の上光線が前記結像光学系の最も主走査方向のパワーが強いレンズの第１面へ入射する位置の光軸からの高さ、
y’1_max：最大像高に向かう光束の下光線が前記第１面へ入射する位置の光軸からの高さ、
y1_0：走査中心に向かう光束の上光線が前記第１面へ入射する位置の光軸からの高さ、
y’1_0：走査中心に向かう光束の下光線が前記第１面へ入射する位置の光軸からの高さ、
y2_max：最大像高に向かう光束の上光線が前記結像光学系の最も主走査方向のパワーが強いレンズの第２面へ入射する位置の光軸からの高さ、
y’2_max：最大像高に向かう光束の下光線が前記第２面へ入射する位置の光軸からの高さ、
y2_0：走査中心に向かう光束の上光線が前記第２面へ入射する位置の光軸からの高さ、
y’2_0：走査中心に向かう光束の下光線が前記第２面へ入射する位置の光軸からの高さ、
θ：前記結像光学系の第１レンズに対し最大像高に向けて入射する光束が光軸となす角度、
Ｌ：前記結像光学系の最も主走査方向のパワーが強いレンズより光源部側の光学系により形成される主走査方向の結像位置から前記第１面までの距離、
Ｌ1：前記第２面から走査対象面までの距離である。
【手続補正５】
【補正対象書類名】明細書
【補正対象項目名】００４８
【補正方法】変更
【補正の内容】
【００４８】
ここで、Ｓ’を第１レンズから走査対象面までの距離Ｌ1、Ｓ0を第１レンズより光源部側の光学系により形成される主走査方向の結像位置から第１レンズの第１面までの距離Ｌとすると、上記の式(13),(14)は、それぞれ以下の式(15),(16)のように書き換えられる。